(57)【特許請求の範囲】
【請求項１】
外壁材を鎧張りする際に使用される治具であって、
本体部と、
前記本体部に設けられ、壁下地に施工された下段外壁材の上端面に係止可能な上係止部と、
前記本体部の左右両側に取り付けられた一対の支持体とを備え、
前記一対の支持体の各々は、
前記上係止部が前記下段外壁材の上端面に係止された状態において、前記下段外壁材よりも一段上に施工される上段外壁材の下端面を支持して、当該上段外壁材を施工予定箇所と同じ高さに配置するための支持部を備え、
前記各支持体は、前記本体部から個別に取り外し可能であることを特徴とする外壁材施工用治具。
【請求項２】
前記上係止部が前記下段外壁材の上端面に係止された状態において、前記下段外壁材の下端面に係止可能な下係止部を備えたことを特徴とする請求項１に記載の外壁材施工用治具。
【請求項３】
前記両係止部は、前記下段外壁材を弾性的に挟持することを特徴とする請求項２に記載の外壁材施工用治具。
【請求項４】
前記下係止部は、前記上係止部に向かって付勢されていることを特徴とする請求項３に記載の外壁材施工用治具。
【請求項５】
前記上係止部は、前記下段外壁材の裏面に係止する鉤部を有することを特徴とする請求項１〜４のいずれか１項に記載の外壁材施工用治具。
【請求項６】
前記上係止部が前記下段外壁材の上端面に係止された状態において、前記上段外壁材の左右方向の位置を決める位置決め手段をさらに備えたことを特徴とする請求項１〜５のいずれか１項に記載の外壁材施工用治具。
【請求項７】
前記上係止部は、該上係止部が前記下段外壁材の上端面に係止され且つ前記上段外壁材が前記支持部によって支持された状態において、前記上段外壁材の裏側に差し込まれる差込片を備えたことを特徴とする請求項１〜６のいずれか１項に記載の外壁材施工用治具。
【請求項８】
請求項１〜７のいずれか１項に記載の外壁材施工用治具を用いた前記外壁材の施工方法であって、
前記外壁材施工用治具の前記上係止部を、前記壁下地に施工された前記下段外壁材の上端面に係止し、この後、前記外壁材施工用治具の前記支持部で前記下段外壁材より一段上の前記上段外壁材を支持し、この上段外壁材を前記壁下地に固定することを特徴とする外壁材の施工方法。
【発明の詳細な説明】
【技術分野】
【０００１】
本発明は、外壁材を鎧張りする際に用いられる外壁材施工用治具およびこれを用いた外壁材の施工方法に関する。
【背景技術】
【０００２】
特許文献１には、鎧張外壁構造が示されている。この鎧張外壁構造は、壁下地の屋外側に上下方向に複数枚配置された外壁材を備えている。各外壁材の下縁部には、Ｌ字状の切欠部が形成されている。外壁材は、切欠部が下方の外壁材の上縁部の外側に当接して、下縁部が下方の外壁材の上縁部に重複しており、この状態で各外壁材は、釘により壁下地に固定されている。
【先行技術文献】
【特許文献】
【０００３】
【特許文献１】実開昭６４−５０５４１号公報
【発明の概要】
【発明が解決しようとする課題】
【０００４】
しかしながら、外壁材を固着具で壁下地に固着する際に当該外壁材を上下方向の位置決めをした状態で支持する必要があり、施工が容易ではない。
【０００５】
本発明は前記事情に鑑みてなされたものであって、外壁材を容易に施工できる外壁材施工用治具およびこれを用いた外壁材の施工方法に関する。
【課題を解決するための手段】
【０００６】
前記目的を達成するために本発明の外壁材施工用治具は、外壁材を鎧張りする際に使用される治具であって、壁下地に施工された下段外壁材の上端面に係止可能な上係止部と、前記上係止部が前記下段外壁材の上端面に係止された状態において、前記下段外壁材よりも一段上に施工される上段外壁材の下端面を支持して、当該上段外壁材を施工予定箇所と同じ高さに配置するための支持部とを備えたことを特徴とする。
【０００７】
また、前記支持部は、前記上係止部の下方の左右両方に設けられていることが好ましい。
【０００８】
また、前記上係止部が前記下段外壁材の上端面に係止された状態において、前記下段外壁材の下端面に係止可能な下係止部を備えることが好ましい。
【０００９】
また、前記両係止部は、前記下段外壁材を弾性的に挟持することが好ましい。
【００１０】
また、前記下係止部は、前記上係止部に向かって付勢されていることが好ましい。
【００１１】
また、前記上係止部は、前記下段外壁材の裏面に係止する鉤部を有することが好ましい。
【００１２】
また、前記上係止部が前記下段外壁材の上端面に係止された状態において、前記上段外壁材の左右方向の位置を決める位置決め手段をさらに備えることが好ましい。
【００１３】
また、前記上係止部は、該上係止部が前記下段外壁材の上端面に係止され且つ前記上段外壁材が前記支持部によって支持された状態において、前記上段外壁材の裏側に差し込まれる差込片を備えることが好ましい。
【００１４】
また、本発明の外壁材施工用治具を用いた外壁材の施工方法は、前記外壁材施工用治具の前記上係止部を、前記壁下地に施工された前記下段外壁材の上端面に係止し、この後、前記外壁材施工用治具の前記支持部で前記下段外壁材より一段上の前記上段外壁材を支持し、この上段外壁材を前記壁下地に固定することを特徴とする。
【発明の効果】
【００１５】
本発明に係る外壁材施工用治具および外壁材の施工方法では、上係止部を下段外壁材の上端面に係止して、外壁材施工用治具を下段外壁材に保持し、この外壁材施工用治具の支持部で上段外壁材を支持することにより、上段外壁材を施工予定箇所と同じ高さに配置できる。このため、上段外壁材を壁下地に簡単に取り付けることができる。
【図面の簡単な説明】
【００１６】
【図１】図１は、本発明の第１実施形態に係る外壁材施工用治具の正面図である。
【図２】図２は、同上の外壁材施工用治具の右側面図である。
【図３】図３は、同上の外壁材施工用治具を用いて外壁材を支持した状態を示した正面図である。
【図４】図４は、外壁構造の断面図である。
【図５】図５は、一部の外壁材の図示が省略された前記外壁構造の斜視図である。
【図６】図６Ａは、変形例１Ａの外壁材施工用治具の正面図であり、図６Ｂは変形例１Ａの外壁材施工用治具の支持体の側面図である。
【図７】図７Ａは、変形例１Ｂの外壁材施工用治具の正面図である。図７Ｂは、変形例１Ｂの外壁材施工用治具の右側面図である。図７Ｃは、変形例１Ｂの外壁材施工用治具の支持体を左側に取り付けた外壁材施工用治具の正面図である。
【図８】図８Ａ及び図８Ｂは、変形例１Ｃの外壁材施工用治具の正面図であり、図８Ａは、上係止部を左方に突出させて取り付けた状態であり、図８Ｂは、上係止部を右方に突出させて取り付けた状態である。
【図９】図９は、本発明の第２実施形態の外壁材施工用治具の正面図である。
【図１０】図１０は、前記外壁材施工用治具の右側面図である。
【図１１】図１１は、前記外壁材施工用治具を用いて外壁材を支持した状態を示した正面図である。
【図１２】図１２Ａ〜図１２Ｅは、本発明の変形例２Ａ〜２Ｅの外壁材施工用治具の側面図である。
【図１３】図１３は、本発明の第３実施形態の外壁材施工用治具を用いて外壁材を支持した状態を示した正面図である。
【図１４】図１４は、図１３のＡ−Ａ線断面図である。
【図１５】図１５は、第３実施形態の外壁材施工用治具の背面図である。
【図１６】図１６は、本発明の変形例３Ａの外壁材施工用治具を用いて外壁材を支持した状態を示した正面図である。
【発明を実施するための形態】
【００１７】
以下、添付図面に基づいて本発明の実施形態について説明する。
【００１８】
（第１実施形態）
図１には、本実施形態の外壁材施工用治具１（以下、治具１という）の正面図が示されており、図２には治具１の側面図が示されている。図３には、治具１の使用状態が示されている。図４および図５には、鎧張りされた外壁材からなる外壁構造が示されている。なお、図５では、一部の外壁材３の図示が省略されている。
【００１９】
まず、図３乃至図５に示す外壁構造について説明する。なお、以下では、図４において屋外側に向かう矢印Ｄ１で示した方向を前方、屋内側に向かう矢印Ｄ２で示した方向を後方とし、図３において矢印Ｄ３に示す方向を左方、矢印Ｄ４に示す方向を右方として説明する。
【００２０】
図４及び図５に示されるように、本実施形態の外壁構造は、壁下地５と、壁下地５の屋外側に鎧張りされた複数の外壁材３とを備えている。
【００２１】
本実施形態の壁下地５は、合板やＯＳＢ（Oriented Strand Board）等の木質系ボードであって、壁下地５は、複数の縦胴縁（不図示）の前面に取り付けられている。なお、壁下地５は木質系ボードに制限されず、胴縁や柱材等であってもよい。
【００２２】
各外壁材３は、平型化粧スレートであって、壁下地５の前面に貼り付けられた防水シート６の前面に沿って配置されている。なお、外壁材３は、無垢材や集成材等の木製外壁材や、天然スレート等であってもよい。
【００２３】
複数の外壁材３は、上下方向に隣り合う外壁材３同士が、左右方向の位置がずれるように千鳥張りされている。なお、外壁材３は上下方向に隣り合う外壁材３同士が、左右方向の位置が揃うように張られてもよい。
【００２４】
各外壁材３は平板状である。各外壁材３は、同大同形であって、図３に示されるように、矩形の上側２箇所の角部がカットされたような正面視６角形状に形成されている。なお、外壁材３の形状は、正面視６角形状に制限されず、例えば正面視矩形状であってもよいし、一部に切り溝が形成されたもの等であってもよい。
【００２５】
各外壁材３は、左右両端部が傾斜した上端面３０、左右の側端面３１，３２、および下端面３３を備えている。各外壁材３は、下端面３３の長さ方向が水平で且つ左右の側端面３１，３２が鉛直になるように配置されている。各外壁材３の上端面３０において、傾斜した左右両端部の間に位置する中間部３４は、下端面３３と平行である。
【００２６】
各外壁材３は、下段の外壁材３と重なって下段の外壁材３を覆う覆い部３５と、覆い部３５の上方に位置して下段の外壁材３とは重ならない非覆い部３６とで構成されている。また、上段の外壁材３との関係では、各外壁材３は、上段の外壁材３と重なって前面が上段の外壁材３によって覆われる重複部３７と、重複部３７の下方に位置して前面が屋外側に露出する露出部３８とで構成されているとも言える。非覆い部３６は重複部３７の一部であり、覆い部３５と非覆い部３６の境界は、重複部３７における上下方向の中途に位置している。
【００２７】
各外壁材３の非覆い部３６には、複数の固着具挿通用穴３９が形成されている。各固着具挿通用穴３９は、外壁材３の厚み方向に貫通している。本実施形態では、これら複数の固着具挿通用穴３９が、非覆い部３６の下端部に左右方向に一列に並設されて、上下方向において同じ位置に形成されている。
【００２８】
本実施形態の各外壁材３の重複部３７の前面には、下段の外壁材３との位置合わせを行うための、複数の位置合わせ用マーク４０が設けられている。これら複数の位置合わせ用マーク４０は、左右位置を合わせるための第１マーク４１と、上下位置を合わせるための左右一対の第２マーク４２，４３とを含んでいる。
【００２９】
第１マーク４１は、外壁材３の上端部の左右方向の中心位置に設けられており、当該外壁材３の左右方向の中心位置を示している。外壁材３を施工する作業者は、第１マーク４１を、当該外壁材３の下段に左右方向に並べて施工された両外壁材３の境界と左右方向の位置を揃えて配置することで、当該外壁材３の左右方向の位置決めを行うことができる。
【００３０】
左右一対の第２マーク４２，４３は、外壁材３の覆い部３５と非覆い部３６の間の左右両端部のそれぞれに設けられており、当該外壁材３の覆い部３５と非覆い部３６の境界を示している。
【００３１】
外壁材３を施工する作業者は、当該外壁材３の左側端部に設けられた第２マーク４２を、当該外壁材３の下段左側の外壁材３の上縁と合わせると共に、当該外壁材３の右側端部に設けられた第２マーク４３を当該外壁材３の下段右側の外壁材３の上縁と合わせることで、当該外壁材３の下段両側の外壁材３に対する上下方向の位置を容易に合わせることができる。なお、第１マーク４１および第２マーク４２，４３は省略可能である。
【００３２】
図４に示されるように、各外壁材３は、下部の覆い部３５が下段の外壁材３の重複部３７の屋外側に重なり、下方ほど屋外側に位置するように傾斜している。なお、最下段の外壁材３は、防水シート６を介して壁下地５の前面に取り付けられた板状のスターター５０の上端部に下部が重なることで、上方の外壁材３と同じ傾斜角度で傾斜する。
【００３３】
各外壁材３の各固着具挿通用穴３９には、釘等の固着具７が屋外側から挿通されている。各固着具７は、壁下地５に固着されており、これにより各外壁材３は、壁下地５に取り付けられている。なお、固着具７は例えばビスであってもよい。
【００３４】
治具１は、図３に示されるように、先に壁下地５に施工された外壁材３の一段上の外壁材３を壁下地５に施工する際に使用される。なお、以下では、必要に応じて、先に施工された既設の外壁材３を下段外壁材３Ｂといい、下段外壁材３Ｂの一段上の外壁材３を上段外壁材３Ａという。また、以下では、図３に示されるように治具１を下段外壁材３Ｂに取り付けた状態における方向を用いて治具１について説明する。
【００３５】
図１に示されるように、治具１は、被取付体１０と左右１対の支持体１１とを備えている。被取付体１０は、下段外壁材３Ｂに引っ掛けて取り付けることができる。１対の支持体１１は、上段外壁材３Ａを下方から支持することができる。
【００３６】
被取付体１０は、下段外壁材３Ｂの前面に沿って配置される本体部１２と、本体部１２に設けられた上下２つの係止部１３，１４とを備えている。以下、両係止部１３，１４のうちの上側の係止部１３を上係止部１３といい、下側の係止部１４を下係止部１４という。
【００３７】
本体部１２は、上下方向に延びた長尺部材であって、本実施形態では断面略Ｃ字状で前方に開口したリップ付き溝形鋼から形成されている。
【００３８】
図２に示されるように、本体部１２の上端部には、上係止部１３が設けられている。上係止部１３は本体部１２に対して移動不能に連結されている。上係止部１３は、下段外壁材３Ｂの上端面３０（詳しくは中間部３４）に係止可能である。
【００３９】
本実施形態の上係止部１３は、側面視逆Ｌ字状で左右方向に延びた金属板から形成されている。上係止部１３は、本体部１２の前面に沿って配置されて本体部１２に取り付けられた縦板状の固定部８１と、固定部８１の上端から後方に向かって突出して、本体部１２の上端面に沿って配置された横板状の第１係止片部１６とを備えている。
【００４０】
図１に示されるように、固定部８１は、左右方向の中間部が本体部１２に連結されると共に、左右両端部が本体部１２から左右方向の外側に向かって突出している。
【００４１】
第１係止片部１６は、固定部８１の左右方向の全長に亘って設けられている。図２に示されるように、第１係止片部１６の後端部は、本体部１２よりも後方に突出しており、治具１を下段外壁材３Ｂに取り付ける際、この第１係止片部１６の後端が下段外壁材３Ｂの上端面に引っ掛かるようになっている。
【００４２】
第１係止片部１６の下面には、ゴムシート等からなる弾性部材８３が全体に亘って貼着されている。弾性部材８３は、本体部１２の上端面と第１係止片部１６の下面とで上下に挟まれている。このため、第１係止片部１６に貼着された弾性部材８３は、第１係止片部１６から剥がれ難くなっている。
【００４３】
上係止部１３は、第１係止片部１６の後端部を弾性部材８３を介して下段外壁材３Ｂの上端面３０の中間部３４に引っ掛けることで、下段外壁材３Ｂの上端面３０に係止される。このとき、第１係止片部１６の下面と下段外壁材３Ｂの上面の間には、弾性部材８３が介在する。このため、第１係止片部１６は下段外壁材３Ｂに対して滑り難く、また、下段外壁材３Ｂは第１係止片部１６によって傷付けられ難い。
【００４４】
図１に示されるように、本体部１２には、下係止部１４が設けられている。下係止部１４は、下段外壁材３Ｂの下端面３３に圧接する。
【００４５】
本実施形態の下係止部１４は、本体部１２に対して上下方向にスライド可能に設けられている。下係止部１４は、金属板から形成されており、上下方向に延びたスライド部８０と、スライド部８０の下端部から後方に向かって突出した第２係止片部１７とを備えている。
【００４６】
スライド部８０は、後方に開口する断面略Ｃ字状をなし、上記本体部１２よりも断面形状のサイズがやや小さく、本体部１２の内側に上下方向に移動可能に収納されている。
【００４７】
図１に示されるように、治具１は弾性体１８をさらに備えている。本実施形態の弾性体１８は、引張コイルばねである。弾性体１８は、本体部１２の上端部に収納されている。弾性体１８は、下端部が下係止部１４の上端部に連結され、上端部が上係止部１３の第１係止片部１６に連結されている。弾性体１８は、下係止部１４を上方に付勢する。なお、弾性体１８の上端部は、本体部１２の上端部に連結されてもよい。また、弾性体１８は、下係止部１４を上方に付勢可能な構成であればよく、例えばコイルばね以外のばねや、ゴム等であってもよい。
【００４８】
治具１は、取っ手１５をさらに備えている。本実施形態の取っ手１５は、下係止部１４のスライド部８０の前面に取り付けられている。
【００４９】
図２に示されるように、取っ手１５は、側方から見て後方に開口したＵ字状に形成されている。取っ手１５は、長さ方向の両端部がスライド部８０の前面において上下方向に離れた２箇所にそれぞれ連結されている。
【００５０】
取っ手１５は、本体部１２の前開口部を介して本体部１２の前方に突出している。取っ手１５とスライド部８０の間には、左右両側に開口した手入れ用スペース８９が形成されている。このため、作業者は、手入れ用スペース８９に手指を入れて取っ手１５を掴み、下係止部１４を弾性体１８の付勢力に抗して下方に移動させることができる。
【００５１】
治具１は、下係止部１４の下方への所定寸法以上の移動を規制するストッパー８５をさらに備えている。
【００５２】
図１に示されるように、ストッパー８５は、左右方向に細長い矩形板状に形成されている。ストッパー８５の左右両端部は、前方から挿通されたねじ８８を本体部１２の前面の左右両端部にそれぞれ固着することにより、本体部１２の前面に取り付けられている。ストッパー８５の左右方向の中間部は、本体部１２の前開口部の前方に位置しており、ストッパー８５は、取っ手１５の上端部下側に配設されており、手入れ用スペース８９を左右方向に貫通している。
【００５３】
取っ手１５を下方にスライドさせたとき、下係止部１４に設けられた取っ手１５の上端部がストッパー８５に上方から当接することにより、下係止部１４はそれ以上下方に移動することができなくなる。これにより、本体部１２に挿入された下係止部１４が必要以上に下方に移動することが防止される。
【００５４】
なお、治具１のメンテナンスをするとき等には、ねじ８８を取り外すことで、本体部１２からストッパー８５を取り外し、下係止部１４を本体部１２から下方に引き抜くことができる。
【００５５】
図２に示されるように、第２係止片部１７は、横断面Ｌ字状をなし、縦板部分の上端がスライド部８０の前面部下端に繋がっている一方、この縦板部分の下端部が本体部１２よりも下方に延びていると共に、この縦板部分の下端から横板部分が後方に延びている。この横板部分の左右両端部は、本体部１２よりも左右方向外側に突出している。また、この横板部分の後端部は、本体部１２よりも後方に突出しており、治具１を下段外壁材３Ｂに取り付ける際、この横板部分の後端部が当該下段外壁材３Ｂの下端面に向けて付勢されて圧接する。さらに、この横板部分の上面には、ゴムシート等からなる弾性部材８４が全体に亘って貼着されている。
【００５６】
弾性体１８により上方に付勢された下係止部１４の第２係止片部１７は、上述の如く横板部分が本体部１２よりも左右方向外側に突出しているため、本体部１２の下端面に当たる。このため、下係止部１４の全体が、本体部１２内に入り込むことが防止されている。また、このとき、弾性部材８４は、弾性体１８により上方に付勢された第２係止片部１７の横板部分の上面と、本体部１２の下端面との間に挟まれる。このため、第２係止片部１７に貼着された弾性部材８４は、第２係止片部１７から剥がれ難くなっている。
【００５７】
下係止部１４は、第２係止片部１７の横板部分の後端部が弾性体１８によって下段外壁材３Ｂの下端面に圧接することで、上係止部１４と共に下段外壁材３Ｂを上下方向に挟持する。
【００５８】
被取付体１０は、上述のように上係止部１３を下段外壁材３Ｂの上端面３０に係止し、この後、取っ手１５を掴んで、下係止部１４を弾性体１８の付勢力に抗して下方に移動させ、この後、下係止部１４を下段外壁材３Ｂの下端面に圧接させることで、治具１を下段外壁材３Ｂに取り付けることができる。
【００５９】
また、上記のように下係止部１４を下段外壁材３Ｂの下端面に圧接させたとき、第２係止片部１７の後端部と下段外壁材３Ｂの下端面との間には、弾性部材８４が介在する。このため、第２係止片部１７は下段外壁材３Ｂに対して滑り難く、また、下段外壁材３Ｂが第２係止片部１７によって傷付けられ難い。
【００６０】
なお、弾性部材８４は、第２係止片部１７の後端部上面の他に、当該第２係止片部１７の横板部分後端面にも貼着されていてもよい。これにより、第２係止片部１７によって下段外壁材３Ｂ及びさらにその下段の外壁材の表面が損傷するのを防ぐことができる。
【００６１】
図１に示されるように、本体部１２の上下方向の中間部には、左右一対の支持体１１が取り付けられている。一対の支持体１１の各々は、上段外壁材３Ａを支持することができる。
【００６２】
各支持体１１は、金属板から形成されている。両支持体１１は、本体部１２略中央の開口左右両側にそれぞれ取り付けられている。左側の支持体１１は、本体部１２の開口左側の前面及び該本体部１２の左側面に取り付けられており、右側の支持体１１は、本体部１２の開口右側の前面及び該本体部１２の右側面に取り付けられている。
【００６３】
図２に示されるように、各支持体１１は、本体部１２から左右方向外側に向かって突出した支持部２１と、支持部２１の前端部から上方に向かって突出した押さえ部２０とを備えている。
【００６４】
支持部２１は、左右方向に延びた横板状に形成されている。支持部２１の上面には、上段外壁材３Ａを載置することができる。
【００６５】
押さえ部２０は、左右方向に延びた縦板状に形成されている。押さえ部２０は、支持部２１上に載置された上段外壁材３Ａの下端部を前方から押えて、上段外壁材３Ａが前方に倒れることを防止する。
【００６６】
図１に示されるように、各支持体１１は、左右方向内側の端部に、本体部１２に取り付けられる取付部８６を備えている。取付部８６は、押さえ部２０において本体部１２の当該押さえ部２０側の端面よりも他方の支持体１１側に延び出た第１片部８６１と、支持部２１の左右方向内側端から下方に向かって突出した第２片部８６２とで構成されている。各支持体１１は、第１片部８６１と第２片部８６２との各々に挿通されたねじ８７を本体部１２に固着することにより、本体部１２に着脱可能に取り付けられている。
【００６７】
上係止部１３の左右両端面の各々は、対応する支持体１１で支持された上段外壁材３Ａの側端面３１に当接する当接部２２を構成している。
【００６８】
支持部２１で支持された上段外壁材３Ａの側端面３１を対応する当接部２２に当接することで、当該上段外壁材３Ａの左右方向の位置が決まる。すなわち、各当接部２２は、対応する支持部２１で支持された上段外壁材３Ａの左右方向の位置を決めるための位置決め手段を構成している。
【００６９】
外壁材３は、作業者により、最下段の外壁材３から１段ずつ上方に向かって順に施工される。最下段以外の外壁材３は、覆い部３５を下段外壁材３Ｂの重複部３７と重ねた状態で壁下地５に取り付けられる。この施工は、例えば以下のように行われる。
【００７０】
作業者は、まず、取っ手１５を掴んで、治具１の被取付体１０の一方の当接部２２を下段外壁材３Ｂの第１マーク４１に合わせ、これにより、治具１の被取付体１０を当該下段外壁材３Ｂの左右方向における中央位置に配置する（図３参照）。また、このとき作業者は、上係止部１３の第１係止片部１６を下段外壁材３Ｂの上端面３０の中間部３４に引っ掛ける。
【００７１】
続いて作業者は、下係止部１４を弾性体１８の弾性力（ばね力）に抗して下方に移動させつつ、下係止部１４を前方に移動させて、第２係止片部１７を下段外壁材３Ｂの下端面３３に圧接させる（図３参照）。これにより、治具１は、下段外壁材３Ｂの所定位置に取り付けられる。
【００７２】
このように下段外壁材３Ｂに治具１が取り付けられた状態では、本体部１２の後面が、下段外壁材３Ｂの前面に接する。また、上係止部１３の第１係止片部１６と、弾性体１８によって上方に付勢された下係止部１４の第２係止片部１７とによって、下段外壁材３Ｂが上下方向に挟まれ、これにより治具１が下段外壁材３Ｂに保持される。このように下段外壁材３Ｂに取り付けられた治具１は、下係止部１４が下段外壁材３Ｂの下端面３３に係止されるので、上段外壁材３Ａの重量により上係止部１３を中心に生じる回転モーメントを打ち消すことができて、上係止部１３を中心に回転するのを防ぐことができる。また、本実施形態の治具１は、上係止部１３が本体部１２に固定されているため、上係止部１３が下段外壁材３Ｂに係止されたとき、一対の支持体１１が下段外壁材３Ｂに対して所定の高さに位置しやすい。
【００７３】
次に作業者は、上段外壁材３Ａの下端部を、一対の支持体１１のうちの一方の支持体１１で支持させる。このとき作業者は、当該支持体１１の押さえ部２０と押さえ部２０に対向する下段外壁材３Ｂの間に、上段外壁材３Ａを上方から挿入し、当該支持部２１上に当該上段外壁材３Ａの下端面３３を載せる（図３参照）。これにより、当該上段外壁材３Ａは、支持体１１にて支持され、且つ押さえ部２０により前方へ倒れるのが規制された状態で、治具１に保持される。また、このとき作業者は、上段外壁材３Ａの一方の側端面３１を治具１の対応する当接部２２に当接させる。これにより、上段外壁材３Ａは施工予定箇所に配置される。
【００７４】
次に作業者は、固着具（上段外壁材用固着具）７を上段外壁材３Ａの各固着具挿通用穴３９に通して壁下地５に固着させる。このとき、上段外壁材３Ａは治具１によって施工予定箇所に保持されているため、作業者は、上段外壁材３Ａを施工予定箇所に上下方向に浮かせながら後側に押え付けて保持する必要がない。従って、作業者は、上段外壁材３Ａを壁下地５に容易に取り付けることができる。
【００７５】
なお、治具１を下段外壁材３Ｂに取り付けた状態においては、上段外壁材３Ａを左右いずれの支持体１１にも支持させることができる。このため、外壁材３を左右いずれの側から順に施工する場合にも、治具１を利用できる。また、作業者は、右利き及び左利きのいずれの場合にも、治具１を利用しやすくなる。
【００７６】
また、１対の支持体１１の各々は、ねじ８７を外すことで、本体部１２から取り外すこともできる。このため、１対の支持体１１のうちの一方の支持体１１を使用しない場合には、当該支持体１１を本体部１２から取り外して、外壁材３の施工の邪魔にならないようにすることもできる。
【００７７】
また、上段外壁材３Ａの施工後に治具１を下段外壁材３Ｂから取り外す際の手順は、例えば以下の通りである。
【００７８】
まず、作業者は、取っ手１５を掴んで下係止部１４を弾性体１８の弾性力（ばね力）に抗して下方に移動させながら、当該支持体１１の支持部２１を上段外壁材３Ａの下端部よりも前方の位置まで移動させる。これにより、上係止部１３及び下係止部１４の下段外壁材３Ｂに対する係止が解除される。この後、作業者は、治具１を前方や上方に移動させて上係止部１３の下段外壁材３Ｂに対する係止を解除する。
【００７９】
なお、本実施形態における下係止部１４は省略可能である。
【００８０】
次に変形例１Ａ〜１Ｃについて説明する。なお、以下の変形例の説明では、第１実施形態と共通の構成については同一の符号を付し、共通する点については説明を省略する。
【００８１】
（変形例１Ａ）
まず、変形例１Ａについて説明する。図６には、本変形例の治具１が示されている。本変形例の各支持体１１は、本体部１２に対して前後方向に延びる軸周りに回転可能に設けられている。
【００８２】
本変形例の各支持体１１の取付部８６は、第２片部８６２を備えておらず、各支持体１１は、第１片部８６１に前方から挿通されたねじ８７を本体部１２に固着することにより、本体部１２に取り付けられている。つまり、上記ねじ８７が上述の前後方向に延びる軸に対応する。
【００８３】
各支持体１１は、本体部１２に固着したねじ８７を緩めることで、ねじ８７を中心に上方に回転可能になる。また、このように支持体１１を回転した後、ねじ８７を締めることで、各支持体１１は本体部１２に対して任意の角度で固定できる。なお、本変形例のストッパー８５は、各支持体１１のねじ８７を中心とした上方への回動を許容するために、取っ手１５の下方に設けられている。
【００８４】
本変形例の治具１は、両支持体１１のうち上段外壁材３Ａを支持する支持体１１とは別の支持体１１を上方に回転することで、図６に示されように当該別の支持体１１を外壁材３の施工の邪魔にならないように本体部１２に沿って配置できる。また、治具１を使用しないときには、両支持体１１を上方に回転して本体部１２に沿わせることで、治具１をコンパクトにすることもできる。
【００８５】
（変形例１Ｂ）
次に変形例１Ｂについて説明する。図７Ａ〜図７Ｃに示される本変形例の治具１は、支持体１１を１つだけ備えており、支持体１１は、図７Ａ及び図７Ｃに示されるように、本体部１２に対して反転して取り付けることができる。
【００８６】
支持体１１の押さえ部２０は、図７Ｂに示されるように、支持部２１の前端部から上下両方向に向かって突出している。支持体１１の取付部８６は、図７Ａに示されるように、第２片部８６２を備えていない。本体部１２の上下方向の中間部には、支持体固定部９０が設けられている。支持体１１は、第１片部８６１に前方から挿通されたねじ８７を支持体固定部９０に固着することにより、本体部１２に取り付けられている。
【００８７】
支持体１１は、ねじ８７を取り外すことで、支持体固定部９０から取り外すことができる。このように支持体固定部９０から取り外した支持体１１は、図７Ｃに示されるように、図７Ａに示す状態から前後方向に延びる軸回りに１８０度反転させた状態で、ねじ８７により支持体固定部９０に取り付けることができる。なお、本変形例の治具１は、下係止部１４のスライド部８０が、弾性体１８を介して支持体固定部９０に連結されている。
【００８８】
本変形例の治具１は、支持体１１を本体部１２に対して反転して取り付けることで、支持体１１を、図７Ａに示されるように、本体部１２から左側に突出した状態にしたり、図７Ｃに示されるように、本体部１２から右側に突出した状態にすることができる。このため、外壁材３を左右いずれの側から順に施工する場合にも、治具１を利用できる。また、作業者は、右利き及び左利きのいずれの場合にも、治具１を利用しやすくなる。
【００８９】
（変形例１Ｃ）
次に変形例１Ｃについて説明する。図８Ａ及び図８Ｂには、本変形例の治具１が示されている。本変形例の治具１は、上係止部１３が本体部１２に対して左右方向に移動可能に設けられている。
【００９０】
図８Ａに示されるように、上係止部１３の固定部８１は、上述の如く本体部１２よりも左右幅が大きく、この固定部８１には、前後方向に貫通した長孔９１が形成されている。長孔９１は、固定部８１の左右幅の略全体に亘って形成されている。したがって、この長孔９１の左右寸法は、本体部１２の左右幅よりも大きい。
【００９１】
本体部１２の上端部には、上取付部９２が設けられている。上係止部１３の固定部８１の長孔９１には、前方からねじ９３が挿通されている。ねじ９３の先端部は、上取付部９２に固着されており、固定部８１における長孔９１周縁部がねじ９３の頭部と本体部１２とで挟まれることにより、上係止部１３は着脱可能に上取付部９２に取り付けられている。
【００９２】
なお、上係止部１３は、本体部１２の上端面に沿って配置されている。また、図示は省略するが、弾性部材８３は後述する第２実施形態と同様に、第１係止片部１６において本体部１２よりも後方に突出する部位の下面にのみ設けられている。
【００９３】
上係止部１３は、上取付部９２に固着したねじ９３を緩めることにより、本体部１２の前面及び上端面に沿って左右方向にスライド可能になる。また、このように上係止部１３をスライドした後、ねじ９３を締めることで、上係止部１３は本体部１２に対して左右方向の任意の位置で固定できる。
【００９４】
本変形例の治具１は、上係止部１３を本体部１２に対して左右方向に移動させることで、上係止部１３を、図８Ａに示されるように、本体部１２から左側に突出した状態で取り付けたり、図８Ｂに示されるように、本体部１２から右側に突出した状態で取り付けることができる。このため、外壁材３を左右いずれの側から順に施工する場合にも、治具１を利用できる。また、作業者は、右利き及び左利きのいずれの場合にも、治具１を利用しやすくなる。また、上係止部１３の左右方向の一方の端面を本体部１２から左右方向の外側に突出しないようにすることができ、上係止部１３を外壁材３の施工の邪魔になり難い位置に配置できる。
【００９５】
（第２実施形態）
次に第２実施形態について説明する。なお、以下の第２実施形態の説明では、第１実施形態と共通の構成については同一の符号を付し、共通する点については説明を省略する。
【００９６】
図９には、本実施形態の外壁材施工用治具１（以下、治具１という）の正面図が示されており、図１０には治具１の側面図が示されている。図１１には、治具１の使用状態が示されている。
【００９７】
図９に示されるように、本実施形態の上係止部１３は、左右方向の片側部分のみが本体部１２から左右方向の外側に突出している。具体的に上係止部１３は、左側半部分が本体部１２から左方に向かって突出している。また、弾性部材８３は、図１０に示されるように第１係止片部１６において本体部１２よりも後方に突出する部位の下面にのみ設けられている。
【００９８】
図９に示されるように、本実施形態の治具１は、支持体１１を１つだけ備えている。支持体１１は、本体部１２の右端部の前面に取り付けられており、本体部１２から右方（上係止部１３の突出方向とは逆方向）に突出している。
【００９９】
本実施形態の下係止部１４は、図１０に示されるように、第２係止片部１７の左右両端部が、左右方向において、本体部１２の左右両側面よりも内側に位置している。
【０１００】
本実施形態の当接部２２は、本体部１２の支持体１１よりも上方の部分の支持体１１側の外側面で構成されている。
【０１０１】
本実施形態において最下段以外の外壁材３の施工を行う場合、作業者は、まず、取っ手１５を掴んで、治具１の被取付体１０を下段外壁材３Ｂの第１マーク４１に合わせ、これにより、治具１の被取付体１０を当該下段外壁材３Ｂの左右方向における中央位置に配置する（図１１参照）。
【０１０２】
なお、本実施形態の治具１は、外壁材３を右側から順に施工できるように、又は右利きの作業者が使用しやすいように、上段外壁材３Ａを支持するための支持体１１が本体部１２から右側方に突出しているが、左側方に突出してもよい。
【０１０３】
また、本実施形態の治具１は、ストッパー８５を備えていないが、第１実施形態と同様のストッパー８５を備えてもよい。
【０１０４】
以下、変形例２Ａ〜２Ｅの治具１について説明する。なお、以下の変形例２Ａ〜２Ｅの説明では、第２実施形態と共通の構成については同一の符号を付し、共通する点については説明を省略する。
【０１０５】
（変形例２Ａ）
まず、変形例２Ａについて説明する。図１２Ａには本変形例の治具１が示されている。本変形例の治具１は、取っ手１５が本体部１２の前面に取り付けられており、取っ手１５は、上係止部１３に対して移動不能である。
【０１０６】
下係止部１４は、本体部１２の下端部に上下方向に移動可能に設けられている。下係止部１４は、例えば本体部１２と上下方向にスライド可能に凹凸嵌合することで、本体部１２に対して上下方向に移動可能に設けられる。
【０１０７】
弾性体１８は、下端部が下係止部１４に連結され、上端部が本体部１２の下部から前方に突出した連結部１９に連結されている。
【０１０８】
本変形例の治具１を下段外壁材３Ｂに取り付けるとき、作業者は、まず第２係止片部１７を下段外壁材３Ｂの下端面３３に係止する。続いて作業者は、治具１の本体部１２を弾性体１８の弾性力に抗して上方に移動させつつ、上係止部１３を前方に移動させて第１係止片部１６を下段外壁材３Ｂの上端面３０の中間部３４に係止する。
【０１０９】
（変形例２Ｂ）
次に変形例２Ｂについて説明する。図１２Ｂには、本変形例の治具１が示されている。本変形例の治具１は、取っ手１５が本体部１２の前面に取り付けられており、取っ手１５は、上係止部１３に対して移動不能である。
【０１１０】
本変形例の下係止部１４は、弾性を有する部材から形成されている。すなわち、下係止部１４は、自身の弾性により下段外壁材３Ｂの下端面３３に押圧されるように構成されている。また、治具１は、下係止部１４を上方に付勢する弾性体１８を備えていない。
【０１１１】
具体的に下係止部１４は、板ばねから形成されている。下係止部１４は、本体部１２の下端部前面にビス等で固定された固定片部２３と、固定片部２３の下端部から前方に突出した第２係止片部１７とを備えている。第２係止片部１７は、前後方向の中間部が両端部よりも上方に位置するように屈曲している。
【０１１２】
本変形例の治具１を下段外壁材３Ｂに取り付けるとき、作業者は、第２係止片部１７を下段外壁材３Ｂの下端面３３に係止する。続いて作業者は、治具１の本体部１２を下係止部１４の弾性力に抗して上方に移動させつつ、上端係止部１３を前方に移動させて第１係止片部１６を下段外壁材３Ｂの上端面３０の中間部３４に係止する。
【０１１３】
（変形例２Ｃ）
次に変形例２Ｃについて説明する。図１２Ｃには、本変形例の治具１が示されている。本変形例の治具１は、取っ手１５が本体部１２の前面に取り付けられており、取っ手１５は、本体部１２に対して移動不能である。
【０１１４】
上係止部１３は、本体部１２の上端部に上下方向に移動可能に設けられている。上係止部１３は、例えば本体部１２と上下方向にスライド可能に凹凸嵌合することで、本体部１２に対して上下方向に移動可能に設けられる。
【０１１５】
治具１は、上係止部１３を下方に押圧するための弾性体２４を備えている。以下、この弾性体２４を第１弾性体２４といい、弾性体１８を第２弾性体１８という。
【０１１６】
第１弾性体２４は、第２弾性体１８と同様、引っ張りばねで構成されている。第１弾性体２４は、上端部が上係止部１３に連結され、下端部が本体部１２の上部から前方に突出した連結部２５に連結されている。この第１弾性体２４は、支持体１１に上段外壁材３Ａが載置された状態で、当該支持体１１とその上方の第１係止片部１６との間の上下寸法が変化しない程度の引張力を有している。なお、第１弾性体２４は、コイルばね以外のばねや、ゴム等であってもよい。
【０１１７】
下係止部１４は、本体部１２の下端部に上下方向に移動可能に設けられている。下係止部１４は、例えば本体部１２と上下方向にスライド可能に凹凸嵌合することで、本体部１２に対して上下方向に移動可能に設けられる。
【０１１８】
第２弾性体１８は、下端部が下係止部１４に連結され、上端部が本体部１２の下部から前方に突出した連結部１９に連結されている。
【０１１９】
本変形例の治具１は、以下の方法でも下段外壁材３Ｂに取り付けることができる。作業者は、まず下係止部１４の第２係止片部１７を下段外壁材３Ｂの下端面３３に係止する。次に作業者は、治具１の本体部１２を第１弾性体２４の弾性力（ばね力）に抗して上方に移動させつつ、上係止部１３を前方に移動させて第１係止片部１６を下段外壁材３Ｂの上端面３０の中間部３４に係止する。
【０１２０】
また、本変形例の治具１は、下段外壁材３Ｂに取り付けられた治具１の上係止部１３を下段外壁材３Ｂの上端面３０に係止したまま本体部１２を下方に移動して、下係止部１４の係止を解除できる。
【０１２１】
（変形例２Ｄ）
次に変形例２Ｄについて説明する。図１２Ｄには、本変形例の治具１が示されている。本変形例の治具１は、取っ手１５が本体部１２の前面に取り付けられており、取っ手１５は、本体部１２に対して移動不能である。
【０１２２】
上係止部１３は、本体部１２の上端部に上下方向に移動可能に設けられている。上係止部１３は、例えば本体部１２と上下方向にスライド可能に凹凸嵌合することで、本体部１２に対して上下方向に移動可能に設けられる。
【０１２３】
下係止部１４は、本体部１２の下端部に上下方向に移動可能に設けられている。下係止部１４は、例えば本体部１２と上下方向にスライド可能に凹凸嵌合することで、本体部１２に対して上下方向に移動可能に設けられる。
【０１２４】
弾性体１８は、下端部が下係止部１４に連結され、上端部が上係止部１３に連結されている。これにより、本体部１２の上端部に設けられた上係止部１３と、本体部１２の下端部に設けられた下係止部１４は、弾性体１８により、上下方向において互いに近づく方向に付勢されている。この弾性体１８は、支持体１１に上段外壁材３Ａが載置された状態で、当該支持体１１とその上方の第１係止片部１６との間の上下寸法が変化しない程度の引張力を有している。
【０１２５】
本変形例の治具１は、以下の方法でも下段外壁材３Ｂに取り付けることができる。作業者は、まず下係止部１４の第２係止片部１７を下段外壁材３Ｂの下端面３３に係止する。次に作業者は、治具１の本体部１２を第１弾性体２４の弾性力（ばね力）に抗して上方に移動させつつ、上係止部１３を前方に移動させて第１係止片部１６を下段外壁材３Ｂの上端面３０の中間部３４に係止する。
【０１２６】
また、本変形例の治具１は、下段外壁材３Ｂに取り付けられた治具１の上係止部１３を下段外壁材３Ｂの上端面３０に係止させたまま本体部１２を下方に移動させて、下係止部１４の係止を解除できる。
【０１２７】
（変形例２Ｅ）
次に変形例２Ｅについて説明する。図１２Ｅには、本変形例の治具１が示されている。本変形例の治具１は、取っ手１５が本体部１２の前面に取り付けられており、取っ手１５は、本体部１２に対して移動不能である。
【０１２８】
上係止部１３は、本体部１２の上端部に上下方向に移動可能に設けられている。上係止部１３は、例えば本体部１２と上下方向にスライド可能に凹凸嵌合することで、本体部１２に対して上下方向に移動可能に設けられる。
【０１２９】
治具１は、上係止部１３を下方に押圧するための弾性体２４を備えている。以下、この弾性体２４を第１弾性体２４といい、弾性体１８を第２弾性体１８という。
【０１３０】
第１弾性体２４は、第２弾性体１８と同様、引っ張りばねで構成されている。第１弾性体２４は、上端部が上係止部１３に連結され、下端部が本体部１２の上部から前方に突出した連結部２５に連結されている。この第１弾性体２４は、支持体１１に上段外壁材３Ａが載置された状態で、当該支持体１１とその上方の第１係止片部１６との間の上下寸法が変化しない程度の引張力を有している。なお、第１弾性体２４は、コイルばね以外のばねや、ゴム等であってもよい。
【０１３１】
下係止部１４は、本体部１２の下端部に上下方向に移動可能に設けられている。下係止部１４は、例えば本体部１２と上下方向にスライド可能に凹凸嵌合することで、本体部１２に対して上下方向に移動可能に設けられる。
【０１３２】
第２弾性体１８は、下端部が下係止部１４に連結され、上端部が本体部１２の下部から前方に突出した連結部１９に連結されている。
【０１３３】
上係止部１３および下係止部１４のそれぞれは、鉤部２６，２７を備えている。以下、上係止部１３の鉤部２６を第１鉤部２６といい、下係止部１４の鉤部２７を第２鉤部２７という。
【０１３４】
第１鉤部２６は、第１係止片部１６の後端部から下方に突出している。第２鉤部２７は、第２係止片部１７の後端部から上方に突出している。
【０１３５】
本変形例の治具１は、上係止部１３の第１係止片部１６を下段外壁材３Ｂの上端面３０に係止し且つ第１鉤部２６を下段外壁材３Ｂの後面に係止し、下係止部１４の第２係止片部１７を下段外壁材３Ｂの下端面３３に係止し且つ第２鉤部２７を下段外壁材３Ｂの後面に係止することで、下段外壁材３Ｂに取り付けられる。なお、このとき作業者は、上係止部１３を下段外壁材３Ｂに係止させた後、下係止部１４を下段外壁材３Ｂに係止させてもよいし、下係止部１４を下段外壁材３Ｂに係止させた後、上係止部１３を下段外壁材３Ｂの上端部に係止させてもよい。
【０１３６】
本変形例の治具１は、下段外壁材３Ｂに取り付けられたとき、上係止部１３の第１鉤部２６および下係止部１４の第２鉤部２７が下段外壁材３Ｂの後面に係止される。このため、治具１は、下段外壁材３Ｂから脱落しにくい。
【０１３７】
また、本変形例の治具１は、下段外壁材３Ｂに取り付けられた治具１の上係止部１３を下段外壁材３Ｂに係止したまま本体部１２を下方に移動して、下係止部１４の下段外壁材３Ｂに対する係止を解除できる。
【０１３８】
（第３実施形態）
次に第３実施形態について説明する。なお、以下の第３実施形態の説明では、第２実施形態と共通の構成については同一の符号を付し、共通する点については説明を省略する。
【０１３９】
図１３には、本実施形態の治具１が示されている。本実施形態の治具１の本体部１２の上端部の左右幅は、本体部１２の下端部の左右幅よりも小さい。本体部１２の上端部には、上係止部１３が形成されている。上係止部１３は、図１４に示されるように本体部１２から後方に突出した横板状の第１係止片部１６からなり、本体部１２と一体である。
【０１４０】
本体部１２の下端部には、下係止部１４が形成されている。下係止部１４は、本体部１２から後方に突出した横板状の第２係止片部１７からなり、本体部１２と一体である。
【０１４１】
本実施形態の治具１は、上係止部１３が下段外壁材３Ｂの上端面３０の中間部３４に係止され、下係止部１４が下段外壁材３Ｂの下端面３３に係止されることで、下段外壁材３Ｂに取り付けられる。
【０１４２】
ここで、上係止部１３は、下段外壁材３Ｂの上端面３０に対して左右方向にスライド可能に係止され、下係止部１４は、下段外壁材３Ｂの下端面３３に対して左右方向にスライド可能に係止される。このため、治具１は、下段外壁材３Ｂに取り付けられた状態で、左右方向に移動可能である。
【０１４３】
図１３に示されるように、上係止部１３の左右方向の長さは、下係止部１４の左右方向の長さよりも短い。また、図１４に示されるように本体部１２から後方に突出した上係止部１３の突出寸法は、本体部１２から後方に突出した下係止部１４の突出寸法よりも小さい。このため、上係止部１３が下段外壁材３Ｂの上端面３０に係止される面積（引っ掛かり代）は、下係止部１４が下段外壁材３Ｂの下端面３３に係止される面積（引っ掛かり代）よりも小さい。
【０１４４】
このように本体部１２から後方に突出した上係止部１３の突出寸法は、本体部１２から後方に突出した下係止部１４の突出寸法よりも小さいため、作業者は、上係止部１３を下段外壁材３Ｂに容易に引っ掛けることができ、治具１を下段外壁材３Ｂに容易に取り付けることができる。また、この取り付け状態における下係止部１４は、下段外壁材３Ｂの下端面３３の広い範囲に係止されるため、治具１が上係止部１３を中心に左右方向に回転することが抑制される。つまり、本実施形態の治具１は、下段外壁材３Ｂに容易に取り付けることができ、且つ下段外壁材３Ｂに取り付けられた治具１が回転しにくい。
【０１４５】
支持体１１は、図１３に示されるように、本体部１２の下部から側方に向かって一体に延び出た延出部８２と、延出部８２の上端部に設けられて上段外壁材３Ａが載置される支持部２１とを備えている。支持部２１は、延出部８２の上端部から前方に向かって突出しており、左右方向に延びた横板状に形成されている。
【０１４６】
本体部１２における支持体１１よりも上方の部分の支持体１１側の側端部には、支持部２１で支持された上段外壁材３Ａの側端面３１に当接する当接部２２が形成されている。本実施形態の当接部２２は、縦板状に形成されており、本体部１２から前方に向かって突出している。当接部２２の下端部は、支持部２１の本体部１２側の側端部に接続されている。当接部２２の支持体１１側の側面と支持部２１の上面は、直角である。
【０１４７】
治具１の本体部１２には、永久磁石２８が設けられている。図１５は、治具１の背面図である。本実施形態の永久磁石２８は、図１５に示されるように本体部１２の後面に取り付けられており、本体部１２の上部に位置している。
【０１４８】
図１３に示されるように、上係止部１３が下段外壁材３Ｂの上端面３０に係止され、且つ下係止部１４が下段外壁材３Ｂの下端面３３に係止された状態において、永久磁石２８は下段外壁材３Ｂの所定の固着具挿通用穴３９に対応する高さに設けられている。
【０１４９】
本実施形態の治具１は、永久磁石２８と、下段外壁材３Ｂの所定の固着具挿通用穴３９に挿通された固着具７とを利用し、上係止部１３を下段外壁材３Ｂの上端面３０の中間部３４に係止し且つ下係止部１４を下段外壁材３Ｂの下端面３３に係止した治具１を、左右方向の所定位置に位置決めできる。すなわち、永久磁石２８は、支持部２１で支持された上段外壁材３Ａの左右方向の位置を決めるための位置決め手段を構成している。
【０１５０】
ここで、前記所定位置とは、図１３に示されるように支持部２１に支持された外壁材３がその施工予定箇所に配置される位置である。なお、本実施形態の下段外壁材３Ｂの固着具挿通用穴３９に挿通される固着具７は、鉄等から形成された強磁性体である。
【０１５１】
治具１を下段外壁材３Ｂに取り付けるとき、作業者は、上係止部１３を下段外壁材３Ｂの上端面３０に係止させ、且つ下係止部１４を下段外壁材３Ｂの下端面３３に係止させた後に、治具１を左右にスライドさせる。このようにすると、治具１に設けられた永久磁石２８は、下段外壁材３Ｂの固着具挿通用穴３９に挿通された固着具７に対応する箇所に位置したときに、磁力により当該固着具７の頭部７０に吸引される。このため、作業者は、永久磁石２８が当該固着具７に対応する箇所に位置したことがわかり、この位置で前記スライドを停止する。
【０１５２】
永久磁石２８は、上係止部１３および下係止部１４によって下段外壁材３Ｂに係止された治具１を使用位置で保持する役割も果たす。なお、本実施形態の治具１を下段外壁材３Ｂから取り外す場合、作業者は本体部１２を前方に移動させて、上係止部１３と下係止部１４の下段外壁材３Ｂに対する係止を解除すればよい。
【０１５３】
なお、本実施形態の永久磁石２８は省略可能である。また、本実施形態の治具１の下係止部１４は、第２実施形態と同様、弾性体１８が有する弾性力または下係止部１４自身が有する弾性力により、下段外壁材３Ｂの下端面３３に押圧されるように構成されてもよい。
【０１５４】
また、第２実施形態および変形例２Ａ〜２Ｅの治具１は、本実施形態の永久磁石２８と同様の機能を有する永久磁石を備えていてもよい。
【０１５５】
（変形例３Ａ）
次に変形例３Ａの治具１について説明する。なお、以下の変形例３Ａの説明では、第３実施形態と共通の構成については同一の符号を付し、共通する点については説明を省略する。
【０１５６】
図１６には変形例３Ａの治具１が示されている。本変形例の治具１には、上係止部１３の第１係止片部１６から側方に向かって突出した差込片２９が形成されている。差込片２９は、治具１が下段外壁材３Ｂに取り付けられた状態で、当該下段外壁材３Ｂの上端面３０の中間部３４に引っ掛けられる。このため、治具１は、下段外壁材３Ｂに取り付けられたときに、落下し難くなる。
【０１５７】
また、差込片２９は、下段外壁材３Ｂに取り付けられた治具１の支持部２１に上段外壁材３Ａが支持されたとき、当該上段外壁材３Ａの裏側（上段外壁材３Ａと壁下地５の間）に差し込まれて、当該上段外壁材３Ａの後面に沿って配置される。このため、下段外壁材３Ｂに取り付けられた治具１が前方に移動しようとしたとき、差込片２９が上段外壁材３Ａの後面に当たる。これにより、下段外壁材３Ｂに係止された上係止部１３および下係止部１４の係止は、外れ難くなっている。
【０１５８】
以上説明した第１実施形態、変形例１Ａ〜１Ｃ、第２実施形態、変形例２Ａ〜２Ｅ、第３実施形態、および変形例３Ａの外壁材施工用治具１は、以下の特徴を有している。外壁材３を鎧張りする際に使用される治具１である。治具１は、上係止部１３と支持部２１とを備える。上係止部１３は、壁下地５に施工された下段外壁材３Ｂの上端面３０に係止可能である。支持部２１は、上係止部１３が下段外壁材３Ｂの上端面３０に係止された状態において、下段外壁材３Ｂよりも一段上に施工される上段外壁材３Ａの下端面３３を支持して、上段外壁材３Ａを施工予定箇所と同じ高さに配置するものである。
【０１５９】
この特徴を有する外壁材施工用治具１は、上係止部１３が下段外壁材３Ｂの上端面３０に係止されることで、下段外壁材３Ｂに支持される。そして、この外壁材施工用治具１の支持部２１が上段外壁材３Ａを支持することで、上段外壁材３Ａは施工予定箇所と同じ高さに配置される。このため、作業者は、支持部２１で上段外壁材３Ａを支持した状態で、固着具７を用いて上段外壁材３Ａを壁下地５に簡単に取り付けることができる。また、外壁材３には、上段外壁材３Ａを下段外壁材３Ｂに位置決めして支持するための部分を形成する必要がないため、外壁材３は複雑な形状になりにくい。
【０１６０】
また、第１実施形態、変形例１Ａ、及び変形例１Ｃの外壁材施工用治具１は、以下の付加的な特徴を有している。支持部２１は、上係止部１３の下方の左右両方に設けられている。
【０１６１】
この特徴を有する外壁材施工用治具１は、左右いずれの支持部２１も、上段外壁材３Ａを支持できる。このため、外壁材３を左右いずれの側から順に施工する場合にも、外壁材施工用治具１を治具１を利用できる。また、作業者は、右利き及び左利きのいずれの場合にも、外壁材施工用治具１を利用しやすくなる。
【０１６２】
また、第１実施形態、変形例１Ａ〜１Ｃ、第２実施形態、変形例２Ａ〜２Ｅ、第３実施形態、及び変形例３Ａの外壁材施工用治具１は、以下の付加的な特徴を有している。上係止部１３が下段外壁材３Ｂの上端面３０に係止された状態において、下段外壁材３Ｂの下端面３３に係止可能な下係止部１４を備える。
【０１６３】
この特徴を有する外壁材施工用治具１は、上係止部１３が下段外壁材３Ｂの上端面３０に係止された状態で、下係止部１４が下段外壁材３Ｂの下端面３３に係止されることで、外壁材施工用治具１が上係止部１３を中心に左右方向に回転することが抑制される。このため、外壁材施工用治具１を下段外壁材３Ｂに対してしっかりと固定でき、この外壁材施工用治具１により上段外壁材３Ａをしっかりと支持することができる。
【０１６４】
また、第１実施形態、変形例１Ａ〜１Ｃ、第２実施形態、変形例２Ａ〜２Ｅ、第３実施形態、及び変形例３Ａの外壁材施工用治具１は、以下の付加的な特徴を有している。両係止部１３、１４は、下段外壁材３Ｂを弾性的に挟持する。
【０１６５】
この特徴を有する外壁材施工用治具１は、上係止部１３と下係止部１４とで下段外壁材３Ｂを挟んで、しっかりと下段外壁材３Ｂに取り付けることができる。
【０１６６】
また、第１実施形態、変形例１Ａ〜１Ｃ、第２実施形態、変形例２Ａ〜２Ｅ、第３実施形態、及び変形例３Ａの外壁材施工用治具１は、以下の付加的な特徴を有している。下係止部１４は、上係止部１３に向かって付勢されている。
【０１６７】
この特徴を有する外壁材施工用治具１は、上係止部１３と、上係止部１３に向かって付勢された下係止部１４とで、下段外壁材３Ｂを挟んで、しっかりと下段外壁材３Ｂに取り付けることができる。
【０１６８】
また、変形例２Ｅの外壁材施工用治具１は、以下の付加的な特徴を有している。上係止部１３は、下段外壁材３Ｂの裏面に係止する鉤部２６を有する。
【０１６９】
この特徴を有する外壁材施工用治具１は、上係止部１３の鉤部２６および下係止部１４の鉤部２７を、下段外壁材３Ｂに後面に係止して、下段外壁材３Ｂに取り付けることができ、下段外壁材３Ｂから脱落しにくい。
【０１７０】
なお、変形例２Ｅの鉤部２６，２７は、第１実施形態、変形例１Ａ〜１Ｃ、第２実施形態、変形例２Ａ〜２Ｄ，第３実施形態、及び変形例３Ａの治具１に設けられてもよい。
【０１７１】
また、第１実施形態、変形例１Ａ〜１Ｃ、第２実施形態、変形例２Ａ〜２Ｅ、第３実施形態、及び変形例３Ａの外壁材施工用治具１は、以下の付加的な特徴を有している。上係止部１３が下段外壁材３Ｂの上端面３０に係止された状態において、上段外壁材３Ａの左右方向の位置を決める位置決め手段（当接部２２または永久磁石２８）をさらに備える。
【０１７２】
この特徴を有する外壁材施工用治具１は、位置決め手段を利用することで、下段外壁材３Ｂに対する上段外壁材３Ａの左右方向の位置を決めることができる。このため、作業者は、上段外壁材３Ａを施工予定箇所に容易に取り付けることができる。
【０１７３】
また、変形例３Ａの外壁材施工用治具１は、以下の付加的な特徴を有している。上係止部１３は、上係止部１３が下段外壁材３Ｂの上端面３０に係止され且つ上段外壁材３Ａが支持部２１によって支持された状態において、上段外壁材３Ａの裏側に差し込まれる差込片２９を有する。
【０１７４】
この特徴を有する外壁材施工用治具１は、下段外壁材３Ｂに取り付けられた治具１の支持部２１に上段外壁材３Ａが支持された状態で、当該上段外壁材３Ａの裏側に差込片２９を配置できる。このため、当該外壁材施工用治具１が前方に移動しようとしたとき、差込片２９が上段外壁材３Ａの後面に当たって、当該外壁材施工用治具１の前方への移動が規制される。このため、外壁材施工用治具１が下段外壁材３Ｂから脱落することが抑制される。
【０１７５】
また、第１実施形態、変形例１Ａ〜１Ｃ、第２実施形態、変形例２Ａ〜２Ｅ、第３実施形態、及び変形例３Ａの外壁材３の施工方法は、以下の特徴を有している。前述の外壁材施工用治具１を用いた外壁材３の施工方法である。外壁材施工用治具１の上係止部１３を、壁下地５に施工された下段外壁材３Ｂの上端面３０に係止し、この後、外壁材施工用治具１の支持部２１で下段外壁材３Ｂより一段上の上段外壁材３Ａを支持し、この上段外壁材３Ａを壁下地５に固定する。
【０１７６】
この特徴を有する外壁材３の施工方法では、外壁材施工用治具１を用いて、上段外壁材３Ａを簡単に施工できる。
【０１７７】
なお、第１実施形態、変形例１Ａ〜１Ｃ、第２実施形態、変形例２Ａ〜２Ｅ、第３実施形態、及び変形例３Ａの治具１および外壁構造は、本発明の趣旨を逸脱しない範囲で適宜設計変更可能である。
【符号の説明】
【０１７８】
１  外壁材施工用治具
１３  上係止部
１４  下係止部
１８  弾性体
２１  支持部
２８  永久磁石
３  外壁材
３０  上端面
３３  下端面
３９  固着具挿通用穴
５  壁下地
【図１】
0006663231.tif 000002
【図２】
0006663231.tif 000003
【図３】
0006663231.tif 000004
【図４】
0006663231.tif 000005
【図５】
0006663231.tif 000006
【図６】
0006663231.tif 000007
【図７】
0006663231.tif 000008
【図８】
0006663231.tif 000009
【図９】
0006663231.tif 000010
【図１０】
0006663231.tif 000011
【図１１】
0006663231.tif 000012
【図１２】
0006663231.tif 000013
【図１３】
0006663231.tif 000014
【図１４】
0006663231.tif 000015
【図１５】
0006663231.tif 000016
【図１６】
0006663231.tif 000017